(57)【要約】【課題】広告の拡散性を向上させる。【解決手段】広告システム１００の携帯端末２によれば、制御部２０１は、ビーコン受信部２０６によりデジタルサイネージ装置１からのビーコン情報を受信すると、受信したビーコン情報に含まれる広告ＩＤと携帯端末２のユーザのユーザＩＤを通信部２０５によりＳＮＳサーバ４に送信し、ビーコン情報に含まれる広告ＩＤに対応する広告情報をＳＮＳサーバ４のＳＮＳサイトに投稿する。【選択図】図８
2017156856.tif 000002
【特許請求の範囲】
【請求項１】
ビーコン情報を受信する受信手段と、
前記受信手段により受信したビーコン情報に対応する広告情報をウェブサイトに投稿する投稿手段と、
を備える情報処理装置。
【請求項２】
前記ウェブサイトは、ＳＮＳ（Social Networking Service）のウェブサイトである請求項１に記載の情報処理装置。
【請求項３】
広告情報の投稿者に特典を付与するサーバ装置に、前記投稿手段により投稿した広告情報の識別情報、及び前記広告情報の投稿者の情報としての前記情報処理装置のユーザのユーザ情報を送信する送信手段を備える請求項１又は２に記載の情報処理装置。
【請求項４】
ユーザが閲覧した広告情報の識別情報及びその広告情報の投稿者の情報を取得する取得手段と、
前記受信手段によりビーコン情報を受信した際に、前記取得手段により取得した広告情報の識別情報に基づいて、前記受信したビーコン情報に対応する広告情報を前記ユーザが閲覧したか否かを判断する判断手段と、
前記判断手段により前記広告情報を前記ユーザが閲覧したと判断された場合に、広告情報の投稿者に特典を付与するサーバ装置に、前記取得手段により取得した前記広告情報の識別情報及び前記投稿者の情報を送信する第２送信手段と、
を備える請求項１〜３の何れか一項に記載の情報処理装置。
【請求項５】
前記ビーコン情報は、広告コンテンツを出力するコンテンツ出力装置に備えられたビーコン発信機から発信されたものであり、
前記ビーコン情報に対応する広告情報は、当該ビーコン情報が発信された際に前記コンテンツ出力装置により出力されていた広告コンテンツに関連する広告情報である請求項１〜４の何れか一項に記載の情報処理装置。
【請求項６】
受信したビーコン情報に対応する広告情報をウェブサイトに投稿した情報処理装置から、前記投稿した広告情報の識別情報及びその広告情報の投稿者の情報を受信する第１受信手段と、
受信したビーコン情報に対応する広告情報をユーザが閲覧した情報処理装置から、前記閲覧した広告情報の識別情報及びその広告情報の投稿者の情報を受信する第２受信手段と、
前記第１受信手段により受信された情報と前記第２受信手段により受信された情報が一致した場合に、前記投稿者に特典を付与する特典付与手段と、  
を備えるサーバ装置。
【請求項７】
ビーコン情報を受信する受信工程と、
前記受信工程において受信したビーコン情報に対応する広告情報をウェブサイトに投稿する投稿工程と、
を含む広告投稿方法。
【請求項８】
受信したビーコン情報に対応する広告情報をウェブサイトに投稿した情報処理装置から、前記投稿した広告情報の識別情報及び前記その広告情報の投稿者の情報を受信する第１受信工程と、
受信したビーコン情報に対応する広告情報をユーザが閲覧した情報処理装置から、前記閲覧した広告情報の識別情報及びその広告情報の投稿者の情報を受信する第２受信工程と、
前記第１受信工程において受信された情報と前記第２受信工程において受信された情報が一致した場合に、前記投稿者に特典を付与する特典付与工程と、  
を含む特典付与方法。
【請求項９】
コンピュータを、
ビーコン情報を受信する受信手段、
前記受信手段により受信したビーコン情報に対応する広告情報をウェブサイトに投稿する投稿手段、
として機能させるためのプログラム。
【請求項１０】
コンピュータを、
受信したビーコン情報に対応する広告情報をウェブサイトに投稿した情報処理装置から、前記投稿した広告情報の識別情報及びその広告情報の投稿者の情報を受信する第１受信手段、
受信したビーコン情報に対応する広告情報をユーザが閲覧した情報処理装置から、前記閲覧した広告情報の識別情報及びその広告情報の投稿者の情報を受信する第２受信手段、
前記第１受信手段により受信された情報と前記第２受信手段により受信された情報が一致した場合に、前記投稿者に特典を付与する特典付与手段、
として機能させるためのプログラム。
【発明の詳細な説明】
【技術分野】
【０００１】
本発明は、情報処理装置、サーバ装置、広告投稿方法、特典付与方法及びプログラムに関する。
【背景技術】
【０００２】
従来、広告コンテンツに登場する人物等の輪郭の形状に形成されたスクリーンに当該コンテンツを投影することにより、閲覧者に対して印象を高めることができる映像出力装置搭載機器が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
しかし、特許文献１の技術では、その場を訪れた人しか広告を閲覧することができないため、広告の拡散が困難であるという問題があった。
【０００５】
本発明の課題は、広告の拡散性を向上させることである。
【課題を解決するための手段】
【０００６】
上記課題を解決するため、本発明の情報処理装置は、
ビーコン情報を受信する受信手段と、
前記受信手段により受信したビーコン情報に対応する広告情報をウェブサイトに投稿する投稿手段と、
を備える。
【０００７】
また、本発明のサーバ装置は、
受信したビーコン情報に対応する広告情報をウェブサイトに投稿した情報処理装置から、前記投稿した広告情報の識別情報及びその広告情報の投稿者の情報を受信する第１受信手段と、
受信したビーコン情報に対応する広告情報をユーザが閲覧した情報処理装置から、前記閲覧した広告情報の識別情報及びその広告情報の投稿者の情報を受信する第２受信手段と、
前記第１受信手段により受信された情報と前記第２受信手段により受信された情報が一致した場合に、前記投稿者に特典を付与する特典付与手段と、  
を備える。
【発明の効果】
【０００８】
本発明によれば、広告の拡散性を向上させることができる。
【図面の簡単な説明】
【０００９】
【図１】本実施形態における広告システムの全体構成を示す図である。
【図２】広告システムの動作の概要を示す図である。
【図３】図１のデジタルサイネージ装置の機能的構成を示すブロック図である。
【図４】図３のスクリーン部の概略構成を示す図である。
【図５】図１の携帯端末の機能的構成を示すブロック図である。
【図６】図１のサーバ装置の機能的構成を示すブロック図である。
【図７】図３の制御部により実行されるビーコン情報送信処理を示すフローチャートである。
【図８】図５の制御部により実行される広告投稿処理を示すフローチャートである。
【図９】図５の制御部により実行される広告閲覧処理を示すフローチャートである。
【図１０】図６の制御部により実行される特典付与処理を示すフローチャートである。
【発明を実施するための形態】
【００１０】
以下、添付図面を参照して本発明の実施形態を詳細に説明する。以下の実施形態では、本発明に係る情報処理装置を携帯端末２に、本発明に係るサーバ装置をサーバ装置３に適用した場合を例にとり説明する。なお、本発明は、図示例に限定されるものではない。
【００１１】
［広告システム１００の構成］
図１は、本発明の実施形態における広告システム１００の全体構成を示す図である。
広告システム１００は、図１に示すように、デジタルサイネージ装置１、携帯端末２、サーバ装置３、ＳＮＳ（Social Networking Service）サーバ４を備えて構成されている。デジタルサイネージ装置１のビーコン発信部３１と携帯端末２は、Bluetooth（登録商標）による近距離無線通信が可能である。また、携帯端末２とサーバ装置３、及び携帯端末２とＳＮＳサーバ４は、無線ＬＡＮ（Local Area Network）、移動体通信網、インターネット等を含む通信ネットワークＮを介して通信接続可能である。なお、デジタルサイネージ装置１及び携帯端末２の台数は特に限定されない。
【００１２】
図２は、広告システム１００の動作の概要を示す図である。図２に示すように、店舗に設置されたデジタルサイネージ装置１でのコンテンツ出力中にビーコン発信部３１の通信エリア５０内に携帯端末２を携帯したユーザ（図２の人物Ａ）が進入し、人物Ａの携帯端末２がビーコン情報を受信すると、携帯端末２は、ユーザＩＤ及び受信したビーコン情報に含まれる広告ＩＤをＳＮＳサーバ４に自動的に送信して、その広告ＩＤに対応する広告情報を人物Ａの投稿としてＳＮＳサーバ４に自動的に投稿する。人物Ａの友人である他のユーザ（図２の人物Ｂ）が携帯端末２で広告情報の投稿を閲覧すると、ＳＮＳサーバ４は、閲覧した広告情報に対応する広告ＩＤ及び投稿者である人物ＡのユーザＩＤを人物Ｂの携帯端末２に送信する。人物Ｂが店舗に来店して同一のビーコン発信部３１の通信エリア５０内に進入し、人物Ｂの携帯端末２がビーコン情報を受信すると、携帯端末２はビーコン情報に含まれる広告ＩＤ及び投稿者である人物ＡのユーザＩＤをサーバ装置３に送信する。サーバ装置３は、人物Ａが宣伝に成功したとみなして人物Ａに特典を付与する。
【００１３】
以下、広告システム１００の各装置の構成及び動作について説明する。
［デジタルサイネージ装置１の構成］
図３は、本実施形態におけるデジタルサイネージ装置１の主制御構成を示すブロック図である。図４は、図３のスクリーン部２２の概略構成を示す正面図である。デジタルサイネージ装置１は、例えば、店舗等に設置され、顧客に対して商品説明等の広告コンテンツを出力する装置である。
【００１４】
図３に示すように、デジタルサイネージ装置１は、コンテンツの映像光を照射する投影部２１と、投影部２１から照射された映像光を背面で受けて前面に投影するスクリーン部２２とを備えている。
【００１５】
まず、投影部２１について説明する。
投影部２１は、制御部２３と、プロジェクタ２４と、記憶部２５と、通信部２６と、を備えている。プロジェクタ２４、記憶部２５、通信部２６は、図３に示すように制御部２３に接続されている。
【００１６】
制御部２３は、記憶部２５に記憶されている各種のプログラムを実行して所定の演算や各部の制御を行うＣＰＵ（Central Processing Unit）とプログラム実行時の作業領域となるメモリとを備えている（いずれも図示略）。制御部２３は、記憶部２５のプログラム記憶部２５１に記憶されているプログラムとの協働により、後述するビーコン情報送信処理を実行する。
【００１７】
プロジェクタ２４は、制御部２３から出力されたコンテンツの画像データを映像光に変換してスクリーン部２２に向けて照射する投影装置である。プロジェクタ２４は、例えば、アレイ状に配列された複数個（ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
【００１８】
記憶部２５は、ＨＤＤ（Hard Disk Drive）や不揮発性の半導体メモリ等により構成される。記憶部２５には、図３に示すように、プログラム記憶部２５１、コンテンツ記憶部２５２、ビーコン情報記憶部２５３が設けられている。
【００１９】
プログラム記憶部２５１には、制御部２３で実行されるシステムプログラムや各種処理プログラム、これらのプログラムの実行に必要なデータ等が記憶されている。
【００２０】
コンテンツ記憶部２５２には、コンテンツを識別するためのコンテンツＩＤに対応付けて、デジタルサイネージ装置１でコンテンツを出力するためのコンテンツ情報（コンテンツデータ）が記憶されている。コンテンツ情報は、例えば、複数のフレーム画像により構成される動画データ及び各フレーム画像に対応する音声データにより構成されていることとするが、画像データ（静止画データ又は動画データ）のみで構成されるものであってもよい。
【００２１】
ビーコン情報記憶部２５３には、コンテンツＩＤに対応付けて、そのコンテンツの出力時にビーコン発信部３１から発信するビーコン情報が記憶されている。本実施形態において、ビーコン情報には、広告ＩＤが含まれる。この広告ＩＤは、ビーコン情報を発信するデジタルサイネージ装置１及びビーコン情報発信時にコンテンツで説明される商品を識別可能な識別情報であるとともに、ＳＮＳサーバ４に投稿する広告情報を識別するための識別情報となる。
【００２２】
また、記憶部２５には、コンテンツの再生スケジュール等が記憶されている。
【００２３】
通信部２６は、モデム、ルータ、ネットワークカード等により構成され、通信ネットワークＮを介して外部機器との通信を行う。
【００２４】
次に、スクリーン部２２について説明する。
スクリーン部２２には、図４に示すように、画像形成部２７と、画像形成部２７を支持する台座２８とが備えられている。
【００２５】
画像形成部２７は、映像光の照射方向に対して略直交するように配置された、例えばアクリル板などの人型に成形された一枚の透光板２９に、フィルム状のフレネルレンズが積層された背面投影用のフィルムスクリーン２９１や予め人物が印刷されたフィルム２９２が貼付されて構成されたスクリーンである。プロジェクタ２４は、画像形成部２７のフィルムスクリーン２９１が貼付された領域に画像を投影する。なお、透光板２９全体にフィルムスクリーン２９１を貼付した構成とし、人物についても投影を行うこととしてもよい。
【００２６】
台座２８には、ビーコン発信部３１と、ボタン式の操作部３２と、音声を出力するスピーカなどの音声出力部３３とが設けられている。
【００２７】
ビーコン発信部３１は、Bluetooth Low Energy（ＢＬＥ）の通信方式により、制御部２３により設定されたビーコン情報を所定時間毎にブロードキャストする。
【００２８】
ビーコン発信部３１、操作部３２、音声出力部３３は、図３に示すように制御部２３に接続されている。
【００２９】
［携帯端末２の構成］
図５は、携帯端末２の主制御構成を示すブロック図である。携帯端末２は、顧客が携帯しているスマートフォン、携帯電話機、タブレット等の情報処理装置であり、図５に示すように、制御部２０１、記憶部２０２、操作部２０３、表示部２０４、通信部２０５、ビーコン受信部２０６等を備えて構成されている。
【００３０】
制御部２０１は、記憶部２０２のプログラム記憶部２２１に記憶されている各種のプログラムを実行して所定の演算や各部の制御を行うＣＰＵとプログラム実行時の作業領域となるメモリとを備えている（いずれも図示略）。制御部２０１は、記憶部２０２のプログラム記憶部２２１に記憶されているアプリケーションプログラムとの協働により後述する広告投稿処理及び広告閲覧処理を始めとする各種処理を実行する。制御部２０１は、プログラム記憶部２２１に記憶されているアプリケーションプログラムとの協働により、判断手段として機能する。また、制御部２０１は、プログラム記憶部２２１に記憶されているアプリケーションプログラム及び通信部２０５との協働により、投稿手段、送信手段、取得手段、第２送信手段として機能する。
【００３１】
記憶部２０２は、不揮発性の半導体メモリ等により構成される。記憶部２０２には、図５に示すように、プログラム記憶部２２１が設けられている。プログラム記憶部２２１には、制御部２０１で実行されるシステムプログラム、ウェブブラウザ、後述する広告投稿処理及び広告閲覧処理を実行するためのアプリケーションプログラム（以下、ビーコンアプリと呼ぶ）、これらのプログラムの実行に必要なデータ等が記憶されている。
【００３２】
また、記憶部２０２には、閲覧済み情報記憶部２２２が設けられている。閲覧済み情報記憶部２２２は、ユーザが携帯端末２によりＳＮＳサーバ４にアクセスして閲覧した広告情報の投稿（他者の投稿）に対応する広告ＩＤと当該投稿の投稿者のユーザＩＤとを対応付けて記憶する。
【００３３】
操作部２０３は、各種機能キーを備え、ユーザによる各キーの押下入力を受け付けてその操作情報を制御部２０１に出力する。また、操作部２０３は、表示部２０４の表面を覆うように透明電極を格子状に配置したタッチパネル等を有し、手指やタッチペン等で押下された位置を検出し、その位置情報を操作情報として制御部２０１に出力する。  
【００３４】
表示部２０４は、ＬＣＤ（Liquid Crystal Display）等により構成され、制御部２０１からの表示制御信号に従って、画面上に各種表示を行う。
【００３５】
通信部２０５は、無線により基地局又はアクセスポイントを介して通信ネットワークＮに接続し、通信ネットワークＮに接続されたサーバ装置３やＳＮＳサーバ４等の外部機器との通信を行う。
【００３６】
ビーコン受信部２０６は、Bluetooth Low Energy（ＢＬＥ）の通信方式により、例えば、デジタルサイネージ装置１のビーコン発信部３１等の外部のビーコン発信機と近距離無線通信を行い、ビーコン発信機から発信されたビーコン情報を受信して制御部２０１に出力する。ビーコン受信部２０６は、受信手段として機能する。
【００３７】
［サーバ装置３の構成］
図６は、サーバ装置３の主制御構成を示すブロック図である。サーバ装置３は、広告システム１００を利用可能なユーザのユーザ情報や、携帯端末２のビーコンアプリによりＳＮＳサーバ４に行われた投稿に関する情報を管理したり、広告の拡散及び宣伝に成功したユーザ（投稿した広告情報が閲覧され、閲覧した人物が店舗に来店したユーザ）に特典を付与したりするための装置であり、図６に示すように、制御部３０１、記憶部３０２、通信部３０３等を備えて構成されている。
【００３８】
制御部３０１は、記憶部３０２のプログラム記憶部３２１に記憶されている各種のプログラムを実行して所定の演算や各部の制御を行うＣＰＵ（Central Processing Unit）とプログラム実行時の作業領域となるメモリとを備えている（いずれも図示略）。制御部３０１は、記憶部３０２のプログラム記憶部３２１に記憶されているプログラムとの協働により、後述する特典付与処理を実行することで、特典付与手段として機能する。
【００３９】
記憶部３０２は、ＨＤＤ（Hard Disk Drive）や不揮発性の半導体メモリ等により構成される。記憶部３０２には、図５に示すように、プログラム記憶部３２１が設けられている。プログラム記憶部３２１には、制御部３０１で実行されるシステムプログラム、各種処理プログラム、これらのプログラムの実行に必要なデータ等が記憶されている。
【００４０】
また、記憶部３０２には、ユーザ情報記憶部３２２が設けられている。
ユーザ情報記憶部３２２には、「ユーザＩＤ」、「パスワード」、「氏名」「メールアドレス」、「性別」、「年齢」等の項目の領域が設けられており、携帯端末２等からユーザ登録されたこれらの項目からなるユーザ情報を記憶する。
【００４１】
また、記憶部３０２には、投稿管理情報記憶部３２３が設けられている。投稿管理情報記憶部３２３には、「広告ＩＤ」、「投稿者のユーザＩＤ」の項目の領域が設けられており、携帯端末２のビーコンアプリによりＳＮＳサーバ４に投稿した広告情報に対応する広告ＩＤ及び投稿者のユーザＩＤを対応付けて記憶する。
【００４２】
通信部３０３は、モデム、ルータ、ネットワークカード等により構成され、通信ネットワークＮに接続された外部機器との通信を行う。通信部３０３は、第１受信手段、第２受信手段として機能する。
【００４３】
［ＳＮＳサーバ４の構成］
ＳＮＳサーバ４は、図示しない制御部、記憶部、通信部を備え、制御部と記憶部に記憶されたプログラムとの協働によりＳＮＳのウェブサイトを提供するサーバである。ＳＮＳサーバ４の記憶部には、広告ＩＤと当該広告ＩＤにより特定される商品の広告情報が対応付けて記憶されている。通信ネットワークＮを介して携帯端末２から広告ＩＤ及びユーザＩＤを受信すると、ＳＮＳサーバ４の制御部は、受信したユーザＩＤのユーザによる、受信した広告ＩＤに対応する広告情報の投稿がされたと判断し、記憶部から広告ＩＤに対応する広告情報を読み出して、受信したユーザＩＤのユーザによる投稿として登録する。
【００４４】
［広告システム１００の動作］
次に、広告システム１００を構成する各装置の動作について説明する。
まず、デジタルサイネージ装置１の動作について説明する。
図７は、デジタルサイネージ装置１において実行されるビーコン情報送信処理のフローチャートである。ビーコン情報送信処理は、デジタルサイネージ装置１の電源がＯＮとなった際に、制御部２３とプログラム記憶部２５１に記憶されているプログラムとの協働により実行される。
【００４５】
まず、制御部２３は、スケジュールに従って、プロジェクタ２４及び音声出力部３３によりコンテンツの出力を開始する（ステップＳ１）。例えば、制御部２３は、予め定められたスケジュールに従ってコンテンツ記憶部２５２に記憶されているコンテンツ情報を読み出し、読み出したコンテンツ情報の動画データに基づいてプロジェクタ２４により画像形成部２７にコンテンツの画像を投影（表示）させる。また、読み出した動画データの音声データに基づいて音声出力部３３によりコンテンツの音声を出力させる。
【００４６】
次いで、制御部２３は、ビーコン情報記憶部２５３を参照し、出力中のコンテンツに応じたビーコン情報をビーコン発信部３１に設定する（ステップＳ２）。即ち、制御部２３は、出力中のコンテンツで説明している商品の広告ＩＤを含むビーコン情報をビーコン発信部３１に設定する。
【００４７】
次いで、制御部２３は、ビーコン発信部３１により、設定したビーコン情報をブロードキャスト（発信）させる（ステップＳ３）。
【００４８】
次いで、制御部２３は、コンテンツが終了したか否かを判断する（ステップＳ４）。コンテンツが終了していないと判断した場合（ステップＳ４；ＮＯ）、制御部２３は、ステップＳ３に戻る。コンテンツが終了したと判断した場合（ステップＳ４；ＹＥＳ）、制御部２３は、ステップＳ１に戻り、次のコンテンツの出力を開始する。
【００４９】
制御部２３は、デジタルサイネージ装置１の電源がＯＮの間、ステップＳ１〜ステップＳ４の処理を繰り返し実行する。
【００５０】
次に、携帯端末２の動作について説明する。
図８は、携帯端末２において実行される広告投稿処理のフローチャートである。広告投稿処理は、携帯端末２のユーザがビーコンアプリで広告システム１００にログインしている間、制御部２０１とプログラム記憶部２２１に記憶されているビーコンアプリとの協働により実行される。
【００５１】
まず、制御部２０１は、ビーコン受信部２０６によりビーコン情報が受信されるのを待機する。
ビーコン受信部２０６によりビーコン情報が受信されると（ステップＳ１１；ＹＥＳ）、制御部２０１は、受信したビーコン情報を解析して広告ＩＤを取得する（ステップＳ１２）。ここで、広告ＩＤは、予め記憶部２０２に記憶しているものを取得してもよいし、ネットワークを通じて取得してもよい。
【００５２】
次いで、制御部２０１は、取得した広告ＩＤ及びログインしているユーザのユーザＩＤを通信部２０５によりＳＮＳサーバ４に送信し、広告ＩＤに対応する広告情報をＳＮＳに投稿する（ステップＳ１３）。
【００５３】
次いで、制御部２０１は、取得した広告ＩＤ及びログインしているユーザのユーザＩＤを、投稿者の追加の通知であることを示す識別子とともに通信部２０５によりサーバ装置３に送信し（ステップＳ１４）、ステップＳ１１に戻る。
ビーコンアプリによる広告システム１００へのログイン中、制御部２０１は、ステップＳ１１〜Ｓ１４の処理を繰り返し実行する。
【００５４】
上記広告投稿処理により、携帯端末２のユーザがデジタルサイネージ装置１の設置された店舗に来店してビーコン発信部３１からのビーコン情報を受信すると、デジタルサイネージ装置１で出力されているコンテンツに対応する広告情報（本実施形態では、コンテンツで説明している商品の広告情報）が自動的にＳＮＳサーバ４に投稿される。従って、コンテンツによる広告の拡散性を向上させることができる。
【００５５】
次に、携帯端末２において実行される広告閲覧処理について説明する。
図９は、携帯端末２において実行される広告閲覧処理のフローチャートである。広告閲覧処理は、携帯端末２のユーザがビーコンアプリで広告システム１００にログインしている間、制御部２０１とプログラム記憶部２２１に記憶されているビーコンアプリとの協働により実行される。
【００５６】
制御部２０１は、ＳＮＳサーバ４に投稿されたＳＮＳの広告情報がユーザにより閲覧されたか否かを判断する（ステップＳ２１）。ここで、ユーザは、ビーコンアプリからＳＮＳサーバ４のＳＮＳサイトにアクセスして投稿を閲覧することが可能である。
ＳＮＳサーバ４に投稿された広告情報がユーザにより閲覧されていないと判断した場合（ステップＳ２１；ＮＯ）、制御部２０１は、ステップＳ２３に移行する。
ＳＮＳサーバ４に投稿された広告情報がユーザにより閲覧されたと判断した場合（ステップＳ２１；ＹＥＳ）、制御部２０１は、閲覧した広告情報の広告ＩＤとその広告情報を投稿したユーザのユーザＩＤを通信部２０５によりＳＮＳサーバ４から取得して閲覧済み情報記憶部２２２に記憶し（ステップＳ２２）、ステップＳ２３に移行する。
【００５７】
ステップＳ２３において、制御部２０１は、ビーコン受信部２０６によりビーコン情報が受信されたか否かを判断する（ステップＳ２３）。即ち、ビーコン発信部３１の通信エリア内に携帯端末２を携帯しているユーザが進入したか否かを判断する。
ビーコン受信部２０６によりビーコン情報が受信されていないと判断した場合（ステップＳ２３；ＮＯ）、制御部２０１は、ステップＳ２１に戻る。
【００５８】
ビーコン受信部２０６によりビーコン情報が受信されたと判断した場合（ステップＳ２３；ＹＥＳ）、制御部２０１は、受信したビーコン情報を解析して広告ＩＤを取得する（ステップＳ２４）。
【００５９】
次いで、制御部２０１は、ビーコン情報から取得した広告ＩＤが閲覧済み情報記憶部２２２に記憶されている広告ＩＤと一致しているか否かを判断する（ステップＳ２５）。
ビーコン情報から取得した広告ＩＤが閲覧済み情報記憶部２２２に記憶されている広告ＩＤと一致していないと判断した場合（ステップＳ２５；ＮＯ）、制御部２０１は、ステップＳ２１に戻る。
【００６０】
ビーコン情報から取得した広告ＩＤが閲覧済み情報記憶部２２２に記憶されている広告ＩＤと一致していると判断した場合（ステップＳ２５；ＹＥＳ）、制御部２０１は、その広告ＩＤ（即ち、携帯端末２が閲覧した広告情報の広告ＩＤ）及び閲覧済み情報記憶部２２２において当該広告ＩＤに対応付けて記憶されているユーザＩＤ（即ち、投稿者のユーザＩＤ）を、宣伝成功者の通知であることを示す識別子とともに通信部２０５によりサーバ装置３に送信し（ステップＳ２６）、ステップＳ２１に戻る。
携帯端末２のユーザがビーコンアプリで広告システム１００にログインしている間、制御部２０１は、ステップＳ２１〜ステップＳ２６の処理を繰り返し実行する。
【００６１】
次に、サーバ装置３の動作について説明する。
図１０は、サーバ装置３において実行される特典付与処理のフローチャートである。特典付与処理は、サーバ装置３の電源がＯＮである間、制御部３０１とプログラム記憶部３２１に記憶されているプログラムとの協働により実行される。
【００６２】
まず、制御部３０１は、通信部３０３により携帯端末２から広告ＩＤ及びユーザＩＤが受信されるのを待機する（ステップＳ３１）。  
広告ＩＤ及びユーザＩＤが受信されたと判断した場合（ステップＳ３１；ＹＥＳ）、制御部３０１は、広告ＩＤ及びユーザＩＤとともに受信した識別子を参照し、投稿者の追加の通知であるか宣伝成功者の通知であるかを判断する（ステップＳ３２）。
【００６３】
投稿者の追加の通知であると判断した場合（ステップＳ３２；１）、制御部３０１は、受信した広告ＩＤ及び投稿者のユーザＩＤを対応付けて投稿管理情報記憶部３２３に記憶させ（ステップＳ３３）、ステップＳ３１に戻る。
【００６４】
宣伝成功者の通知であると判断した場合（ステップＳ３２；２）、制御部３０１は、受信した広告ＩＤ及びユーザＩＤに一致するレコードが投稿管理情報記憶部３２３に記憶されているか否かを判断する（ステップＳ３４）。
受信した広告ＩＤ及びユーザＩＤに一致するレコードが投稿管理情報記憶部３２３に記憶されていないと判断した場合（ステップＳ３４；ＮＯ）、ステップＳ３１に戻る。
【００６５】
受信した広告ＩＤ及びユーザＩＤに一致するレコードが投稿管理情報記憶部３２３に記憶されていると判断した場合（ステップＳ３４；ＹＥＳ）、制御部３０１は、ユーザ情報記憶部３２２からユーザＩＤが一致するユーザ情報を取得して、ユーザＩＤのユーザに特典を付与し（ステップＳ３５）、ステップＳ３１に戻る。
例えば、制御部３０１は、通信部３０３によりユーザのメールアドレスに景品との引換券等を送信する。或いは、ポイントを付与することとしてもよい。また、特典の付与はこれに限らない。
【００６６】
サーバ装置３の電源がＯＮである間、制御部３０１は、ステップＳ３１〜ステップＳ３５の処理を繰り返し実行する。
【００６７】
このように、投稿された広告情報を閲覧した人物が来店してビーコン発信部３１から発信されたビーコン情報を受信すると、サーバ装置３から広告情報の投稿を行ったユーザに、広告の拡散に成功したことに対する特典が付与される。従って、広告を拡散したユーザに謝礼をすることができる。また、来店して広告を拡散するように促すことが可能となる。
【００６８】
以上説明したように、広告システム１００の携帯端末２によれば、制御部２０１は、ビーコン受信部２０６によりデジタルサイネージ装置１からのビーコン情報を受信すると、受信したビーコン情報に含まれる広告ＩＤと携帯端末２のユーザのユーザＩＤを通信部２０５によりＳＮＳサーバ４に送信し、ビーコン情報に含まれる広告ＩＤに対応する広告情報をＳＮＳサーバ４のＳＮＳサイトに自動的に投稿する。
従って、携帯端末２がビーコン情報の通信エリア内に入ってビーコン情報を受信すると、そのビーコン情報に対応する広告情報をＳＮＳサイトに自動的に投稿するので、広告の拡散性を向上させることができる。
【００６９】
また、携帯端末２の制御部２０１は、投稿した広告情報の広告ＩＤ、及び広告情報の投稿者の情報としてのユーザＩＤを通信部２０５によりサーバ装置３に送信する。
従って、サーバ装置３に、ユーザが広告情報の投稿を行ったことを通知することができる。
【００７０】
また、携帯端末２の制御部２０１は、ユーザが閲覧した広告情報の広告ＩＤ及びその広告情報の投稿者のユーザＩＤを通信部２０５によりＳＮＳサーバ４から取得して閲覧済み情報記憶部２２２に記憶しておき、ビーコン受信部２０６によりビーコン情報を受信した際に、閲覧済み情報記憶部２２２を参照して、受信したビーコン情報に含まれる広告ＩＤに対応する広告情報をユーザが閲覧したか否かを判断する。そして、制御部２０１は、ユーザが広告を閲覧したと判断した場合に、サーバ装置３に、閲覧済み情報記憶部２２２に記憶されている広告ＩＤ及びユーザＩＤを送信する。
従って、ユーザが閲覧した広告情報に対応するビーコン情報を携帯端末２で受信した場合、即ち、投稿された広告情報を閲覧したユーザが店舗に来店した場合に、その広告情報の広告ＩＤ及び投稿者のユーザＩＤをサーバ装置３に通知することができる。
【００７１】
また、ビーコン情報に対応する広告情報は、デジタルサイネージ装置１でビーコン情報の発信時に出力されたコンテンツに関連する広告情報であるので、デジタルサイネージ装置１のコンテンツに関連する広告情報の拡散性を向上さでることができる。
【００７２】
また、サーバ装置３の制御部３０１は、通信部３０３により、ＳＮＳサーバ４のＳＮＳサイトに広告情報の投稿を行った携帯端末２から広告ＩＤ及びユーザＩＤを受信すると、投稿管理情報記憶部３２３に記憶させる。また、制御部３０１は、通信部３０３により、ＳＮＳサーバ４のＳＮＳサイトの広告情報を閲覧した携帯端末２から広告ＩＤ及びユーザＩＤを受信すると、受信した広告ＩＤ及びユーザＩＤが投稿管理情報記憶部３２３に記憶されている広告ＩＤ及びユーザＩＤと一致するか否かを判断し、一致すると判断した場合に、ユーザＩＤのユーザに特典を付与する。
従って、投稿された広告情報を閲覧した人物が来店してビーコン発信部３１から発信されたビーコン情報を受信した場合に、広告情報の投稿を行ったユーザに特典を付与することができる。また、来店して広告を拡散するように促すことが可能となる。
【００７３】
なお、上記実施形態における記述内容は、本発明に係る広告システムの好適な一例であり、これに限定されるものではない。
【００７４】
例えば、上記実施形態においては、携帯端末２においてビーコン発信部３１からビーコン情報を受信してＳＮＳサーバ４に広告情報の投稿を行った際、及び、広告情報を閲覧したユーザの携帯端末２がビーコン発信部３１からビーコン情報を受信した際に、サーバ装置３に広告ＩＤ及び広告情報の投稿者の情報を通知し、サーバ装置３において双方の情報に基づいて投稿者に特典を付与することとしたが、何れか一方の情報のみで特典付与を行うこととしてもよい。例えば、携帯端末２においてビーコン発信部３１からビーコン情報を受信してＳＮＳサーバ４に広告情報の投稿を行った場合、広告を拡散したことになるので、このときに送信される情報のみに基づいて特典を付与することとしてもよい。また、広告情報を閲覧したユーザが来店して携帯端末２がビーコン発信部３１からビーコン情報を受信した際に送信する広告ＩＤ及び広告情報の投稿者の情報だけでも宣伝に成功した投稿者を特定することができるため、このときに送信される広告情報及び投稿者の情報のみに基づいて特典を付与することとしてもよい。
【００７５】
また、上記実施形態においては、広告情報をＳＮＳに投稿することとして説明したが、ＳＮＳに限らず、他のウェブサイトに投稿することとしてもよい。
【００７６】
また、上記実施形態においては、広告ＩＤに対応する広告情報をＳＮＳサーバ４で予め用意しておく場合を例にとり説明したが、携帯端末２のビーコンアプリで広告ＩＤに対応する広告情報を生成してＳＮＳサーバ４に送信することとしてもよい。
【００７７】
また、上記実施形態においては、デジタルサイネージ装置１で出力されているコンテンツに関連する広告情報としてコンテンツで説明している商品の広告情報がＳＮＳサーバ４に投稿されることとしたが、投稿される広告情報は、デジタルサイネージ装置１で出力されているコンテンツに関連する情報であればよく、これに限定されるものではない。
【００７８】
その他、広告システムを構成する各装置の細部構成及び細部動作に関しても、発明の趣旨を逸脱することのない範囲で適宜変更可能である。
【００７９】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
［付記］
＜請求項１＞
ビーコン情報を受信する受信手段と、
前記受信手段により受信したビーコン情報に対応する広告情報をウェブサイトに投稿する投稿手段と、
を備える情報処理装置。
＜請求項２＞
前記ウェブサイトは、ＳＮＳ（Social Networking Service）のウェブサイトである請求項１に記載の情報処理装置。
＜請求項３＞
広告情報の投稿者に特典を付与するサーバ装置に、前記投稿手段により投稿した広告情報の識別情報、及び前記広告情報の投稿者の情報としての前記情報処理装置のユーザのユーザ情報を送信する送信手段を備える請求項１又は２に記載の情報処理装置。
＜請求項４＞
ユーザが閲覧した広告情報の識別情報及びその広告情報の投稿者の情報を取得する取得手段と、
前記受信手段によりビーコン情報を受信した際に、前記取得手段により取得した広告情報の識別情報に基づいて、前記受信したビーコン情報に対応する広告情報を前記ユーザが閲覧したか否かを判断する判断手段と、
前記判断手段により前記広告情報を前記ユーザが閲覧したと判断された場合に、広告情報の投稿者に特典を付与するサーバ装置に、前記取得手段により取得した前記広告情報の識別情報及び前記投稿者の情報を送信する第２送信手段と、
を備える請求項１〜３の何れか一項に記載の情報処理装置。
＜請求項５＞
前記ビーコン情報は、広告コンテンツを出力するコンテンツ出力装置に備えられたビーコン発信機から発信されたものであり、
前記ビーコン情報に対応する広告情報は、当該ビーコン情報が発信された際に前記コンテンツ出力装置により出力されていた広告コンテンツに関連する広告情報である請求項１〜４の何れか一項に記載の情報処理装置。
＜請求項６＞
受信したビーコン情報に対応する広告情報をウェブサイトに投稿した情報処理装置から、前記投稿した広告情報の識別情報及びその広告情報の投稿者の情報を受信する第１受信手段と、
受信したビーコン情報に対応する広告情報をユーザが閲覧した情報処理装置から、前記閲覧した広告情報の識別情報及びその広告情報の投稿者の情報を受信する第２受信手段と、
前記第１受信手段により受信された情報と前記第２受信手段により受信された情報が一致した場合に、前記投稿者に特典を付与する特典付与手段と、  
を備えるサーバ装置。
＜請求項７＞
ビーコン情報を受信する受信工程と、
前記受信工程において受信したビーコン情報に対応する広告情報をウェブサイトに投稿する投稿工程と、
を含む広告投稿方法。
＜請求項８＞
受信したビーコン情報に対応する広告情報をウェブサイトに投稿した情報処理装置から、前記投稿した広告情報の識別情報及び前記その広告情報の投稿者の情報を受信する第１受信工程と、
受信したビーコン情報に対応する広告情報をユーザが閲覧した情報処理装置から、前記閲覧した広告情報の識別情報及びその広告情報の投稿者の情報を受信する第２受信工程と、
前記第１受信工程において受信された情報と前記第２受信工程において受信された情報が一致した場合に、前記投稿者に特典を付与する特典付与工程と、  
を含む特典付与方法。
＜請求項９＞
コンピュータを、
ビーコン情報を受信する受信手段、
前記受信手段により受信したビーコン情報に対応する広告情報をウェブサイトに投稿する投稿手段、
として機能させるためのプログラム。
＜請求項１０＞
コンピュータを、
受信したビーコン情報に対応する広告情報をウェブサイトに投稿した情報処理装置から、前記投稿した広告情報の識別情報及びその広告情報の投稿者の情報を受信する第１受信手段、
受信したビーコン情報に対応する広告情報をユーザが閲覧した情報処理装置から、前記閲覧した広告情報の識別情報及びその広告情報の投稿者の情報を受信する第２受信手段、
前記第１受信手段により受信された情報と前記第２受信手段により受信された情報が一致した場合に、前記投稿者に特典を付与する特典付与手段、
として機能させるためのプログラム。
【符号の説明】
【００８０】
１００  広告システム
１  デジタルサイネージ装置
２１  投影部
２２  スクリーン部
２３  制御部
２４  プロジェクタ
２５  記憶部
２５１  プログラム記憶部
２５２  コンテンツ記憶部
２５３  ビーコン情報記憶部
２６    通信部
２７  画像形成部
２８  台座
２９  透光板
３１  ビーコン発信部
３２  操作部
３３  音声出力部
２  携帯端末
２０１  制御部
２０２  記憶部
２２１  プログラム記憶部
２２２  閲覧済み情報記憶部
２０３  操作部
２０４  表示部
２０５  通信部
２０６  ビーコン受信部
３  サーバ装置
３０１  制御部
３０２  記憶部
３２１  プログラム記憶部
３２２  ユーザ情報記憶部
３２３  投稿管理情報記憶部
３０３  通信部
４  ＳＮＳサーバ
【図１】
2017156856.tif 000003
【図２】
2017156856.tif 000004
【図３】
2017156856.tif 000005
【図４】
2017156856.tif 000006
【図５】
2017156856.tif 000007
【図６】
2017156856.tif 000008
【図７】
2017156856.tif 000009
【図８】
2017156856.tif 000010
【図９】
2017156856.tif 000011
【図１０】
2017156856.tif 000012